【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
アップリンク信号を送信する方法であって、前記アップリンク信号は、転送ブロックおよび制御情報の両方のデータを含み、前記方法は、
チャネル符号化された制御情報を生成するために、前記制御情報の符号化されたシンボルの数に基づいて前記制御情報をチャネル符号化することを含み、
前記制御情報の符号化されたシンボルの数は、
【数１】
2011526094.tif 000001
を用いて決定され、ここで、
Ｑ’は前記制御情報の前記符号化されたシンボルの数であり、
Ｏは、前記制御情報のペイロードサイズであり、
【数２】
2011526094.tif 000002
は、同一の転送ブロックに対する初期物理アップリンク共有チャネル（ＰＵＳＣＨ）送信のためのサブフレーム毎のＳＣ−ＦＤＭＡシンボルの数であり、
【数３】
2011526094.tif 000003
は、同一の転送ブロックに対する前記初期ＰＵＳＣＨ送信のためのスケジューリングされた帯域幅であり、
【数４】
2011526094.tif 000004
はオフセット値であり、
ｒは、同一の転送ブロックに対するコードブロック数であり、Ｋｒは、コードブロック数ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／Ｎｅｇａｔｉｖｅ  ａｃｋｎｏｗｌｅｄｇｅｍｅｎｔ（ＮＡＣＫ）情報のうちの１つである、方法。
【請求項２】
チャネル符号化されたデータを生成するために前記アップリンク信号のデータをチャネル符号化することと、
前記アップリンク信号を生成するために前記チャネル符号化された制御情報および前記チャネル符号化されたデータをチャネルインターリーブすることと、
前記アップリンク信号を送信することと
を含む、請求項１に記載の方法。
【請求項３】
前記チャネル品質制御情報は、チャネル品質情報（ＣＱＩ）およびプリコーディングマトリクスインジケータ（ＰＭＩ）のうちの少なくとも１つを含む、請求項１に記載の方法。
【請求項４】
前記チャネル品質制御情報のペイロードサイズは、前記チャネル品質制御情報に加えられたＣＲＣ（Ｃｙｃｌｉｃ  Ｒｅｄｕｎｄａｎｃｙ  Ｃｈｅｃｋ）のサイズを含む、請求項１に記載の方法。
【請求項５】
前記同一の転送ブロック、および、前記同一の転送ブロックに対する初期ＰＵＳＣＨ送信のためのリソースに対するパラメータをメモリまたはキャッシュから取り出すことをさらに含む、請求項１に記載の方法。
【請求項６】
前記アップリンク信号は、前記同一の転送ブロックに対する非初期ＰＵＳＣＨ送信を含む、請求項１に記載の方法。
【請求項７】
受信されたアップリンク信号を処理する方法であって、前記アップリンク信号は、転送ブロックおよび制御情報の両方のデータを含み、前記方法は、
制御情報を生成するために、前記制御情報の符号化されたシンボルの数に基づいて、前記アップリンク信号のチャネル符号化された前記制御情報を復号化することを含み、
前記制御情報の符号化されたシンボルの数は、
【数５】
2011526094.tif 000005
を用いて決定され、ここで、
Ｑ’は前記制御情報の前記符号化されたシンボルの数であり、
Ｏは、前記制御情報のペイロードサイズであり、
【数６】
2011526094.tif 000006
は、同一の転送ブロックに対する初期物理アップリンク共有チャネル（ＰＵＳＣＨ）送信のためのサブフレーム毎のＳＣ−ＦＤＭＡシンボルの数であり、
【数７】
2011526094.tif 000007
は、同一の転送ブロックに対する前記初期ＰＵＳＣＨ送信のためのスケジューリングされた帯域幅であり、
【数８】
2011526094.tif 000008
はオフセット値であり、
ｒは、同一の転送ブロックに対するコードブロック数であり、Ｋｒは、コードブロック数ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／Ｎｅｇａｔｉｖｅ  ａｃｋｎｏｗｌｅｄｇｅｍｅｎｔ（ＮＡＣＫ）情報のうちの１つである、方法。
【請求項８】
前記アップリンク信号を受信することと、
前記チャネル符号化された制御情報およびチャネル符号化されたデータを生成するために前記アップリンク信号をチャネルデインターリーブすることと、
前記データを生成するために前記チャネル符号化された制御データをチャネル復号化することと
をさらに含む、請求項７に記載の方法。
【請求項９】
前記チャネル品質制御情報は、チャネル品質情報（ＣＱＩ）およびプリコーディングマトリクスインジケータ（ＰＭＩ）のうちの少なくとも１つを含む、請求項７に記載の方法。
【請求項１０】
前記チャネル品質制御情報のペイロードサイズは、前記チャネル品質制御情報に加えられたＣＲＣ（Ｃｙｃｌｉｃ  Ｒｅｄｕｎｄａｎｃｙ  Ｃｈｅｃｋ）のサイズを含む、請求項７に記載の方法。
【請求項１１】
前記同一の転送ブロック、および、前記同一の転送ブロックに対する初期ＰＵＳＣＨ送信のためのリソースに対するパラメータをメモリまたはキャッシュから取り出すことをさらに含む、請求項７に記載の方法。
【請求項１２】
前記アップリンク信号は、前記同一の転送ブロックに対する非初期ＰＵＳＣＨ送信を含む、請求項７に記載の方法。
【請求項１３】
アップリンク信号を送信するように構成された装置であって、前記アップリンク信号は、転送ブロックおよび制御情報の両方のデータを含み、前記装置は、
ＲＦユニットと、
メモリと、
前記ＲＦユニットと前記メモリとに動作可能に接続されたプロセッサと
を含み、前記プロセッサは、チャネル符号化された制御情報を生成するために、前記制御情報の符号化されたシンボルの数に基づいて前記制御情報をチャネル符号化するように構成され、
前記制御情報の符号化されたシンボルの数は、
【数９】
2011526094.tif 000009
を用いて決定され、ここで、
Ｑ’は前記制御情報の前記符号化されたシンボルの数であり、
Ｏは、前記制御情報のペイロードサイズであり、
【数１０】
2011526094.tif 000010
は、同一の転送ブロックに対する初期物理アップリンク共有チャネル（ＰＵＳＣＨ）送信のためのサブフレーム毎のＳＣ−ＦＤＭＡシンボルの数であり、
【数１１】
2011526094.tif 000011
は、同一の転送ブロックに対する前記初期ＰＵＳＣＨ送信のためのスケジューリングされた帯域幅であり、
【数１２】
2011526094.tif 000012
はオフセット値であり、
ｒは、同一の転送ブロックに対するコードブロック数であり、Ｋｒは、コードブロック数ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／Ｎｅｇａｔｉｖｅ  ａｃｋｎｏｗｌｅｄｇｅｍｅｎｔ（ＮＡＣＫ）情報のうちの１つである、装置。
【請求項１４】
前記プロセッサは、
チャネル符号化されたデータを生成するために前記アップリンク信号のデータをチャネル符号化することと、
前記アップリンク信号を生成するために前記チャネル符号化された制御情報および前記チャネル符号化されたデータをチャネルインターリーブすることと、
前記アップリンク信号を送信することと
を行うようにさらに構成される、請求項１３に記載の装置。
【請求項１５】
前記チャネル品質制御情報は、チャネル品質情報（ＣＱＩ）およびプリコーディングマトリクスインジケータ（ＰＭＩ）のうちの少なくとも１つを含む、請求項１３に記載の装置。
【請求項１６】
前記チャネル品質制御情報のペイロードサイズは、前記チャネル品質制御情報に加えられたＣＲＣ（Ｃｙｃｌｉｃ  Ｒｅｄｕｎｄａｎｃｙ  Ｃｈｅｃｋ）のサイズを含む、請求項１３に記載の装置。
【請求項１７】
前記プロセッサは、
前記同一の転送ブロック、および、前記同一の転送ブロックに対する初期ＰＵＳＣＨ送信のためのリソースに対するパラメータをメモリまたはキャッシュから取り出すようにさらに構成される、請求項１３に記載の装置。
【請求項１８】
前記アップリンク信号は、前記同一の転送ブロックに対する非初期ＰＵＳＣＨ送信を含む、請求項１３に記載の装置。
【請求項１９】
受信されたアップリンク信号を処理するように構成された装置であって、前記アップリンク信号は、転送ブロックおよび制御情報の両方のデータを含み、前記装置は、
ＲＦユニットと、
メモリと、
前記ＲＦユニットと前記メモリとに動作可能に接続されたプロセッサと
を含み、前記プロセッサは、
制御情報を生成するために、前記制御情報の符号化されたシンボルの数に基づいて、前記アップリンク信号のチャネル符号化された前記制御情報を復号化するように構成され、
前記制御情報の符号化されたシンボルの数は、
【数１３】
2011526094.tif 000013
を用いて決定され、ここで、
Ｑ’は前記制御情報の前記符号化されたシンボルの数であり、
Ｏは、前記制御情報のペイロードサイズであり、
【数１４】
2011526094.tif 000014
は、同一の転送ブロックに対する初期物理アップリンク共有チャネル（ＰＵＳＣＨ）送信のためのサブフレーム毎のＳＣ−ＦＤＭＡシンボルの数であり、
【数１５】
2011526094.tif 000015
は、同一の転送ブロックに対する前記初期ＰＵＳＣＨ送信のためのスケジューリングされた帯域幅であり、
【数１６】
2011526094.tif 000016
はオフセット値であり、
ｒは、同一の転送ブロックに対するコードブロック数であり、Ｋｒは、コードブロック数ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／Ｎｅｇａｔｉｖｅ  ａｃｋｎｏｗｌｅｄｇｅｍｅｎｔ（ＮＡＣＫ）情報のうちの１つである、装置。
【請求項２０】
前記プロセッサは、
前記アップリンク信号を受信することと、
前記チャネル符号化された制御情報およびチャネル符号化されたデータを生成するために前記アップリンク信号をチャネルデインターリーブすることと、
前記データを生成するために前記チャネル符号化された制御データをチャネル復号化することと
を行うようにさらに構成される、請求項１９に記載の装置。
【請求項２１】
前記チャネル品質制御情報は、チャネル品質情報（ＣＱＩ）およびプリコーディングマトリクスインジケータ（ＰＭＩ）のうちの少なくとも１つを含む、請求項１９に記載の装置。
【請求項２２】
前記チャネル品質制御情報のペイロードサイズは、前記チャネル品質制御情報に加えられたＣＲＣ（Ｃｙｃｌｉｃ  Ｒｅｄｕｎｄａｎｃｙ  Ｃｈｅｃｋ）のサイズを含む、請求項１９に記載の装置。
【請求項２３】
前記プロセッサは、
前記同一の転送ブロック、および、前記同一の転送ブロックに対する初期ＰＵＳＣＨ送信のためのリソースに対するパラメータをメモリまたはキャッシュから取り出すようにさらに構成される、請求項１９に記載の装置。
【請求項２４】
前記アップリンク信号は、前記同一の転送ブロックに対する非初期ＰＵＳＣＨ送信を含む、請求項１９に記載の装置。
【手続補正２】
【補正対象書類名】明細書
【補正対象項目名】００５６
【補正方法】変更
【補正の内容】
【００５６】
本発明によれば、アップリンクでデータ及び制御情報を伝送する時、データ及び制御情報の符号率を正確に計算してデータ及び制御情報を含むアップリンク信号を伝送することができる。
例えば、本発明は以下の項目を提供する。
（項目１）
それぞれ制御情報及びデータを含む第１アップリンク信号及び第２アップリンク信号を伝送する方法であって、
制御情報のシンボルの個数に基づいて上記第２アップリンク信号の上記制御情報をチャネル符号化し、第１チャネル符号化されたデータを生成することを含み、
上記チャネル符号化するステップは、上記第１アップリンク信号の上記データのペイロードサイズ及び上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数によって上記シンボルの個数を決定することを含む、アップリンク信号伝送方法。
（項目２）
上記決定するステップは、上記第２アップリンク信号の上記制御情報のペイロードサイズ及び上記第２アップリンク信号の上記制御情報に適用されるオフセット値によって上記シンボルの個数を決定する、項目１に記載のアップリンク信号伝送方法。
（項目３）
上記第２アップリンク信号の上記データをチャネル符号化して、第２チャネル符号化されたデータを生成し、
上記第１チャネル復号化されたデータと上記第２チャネル復号化されたデータにチャネルインターリービングを行って、上記第２アップリンク信号を生成し、
上記第２アップリンク信号を伝送すること、
をさらに含む、項目１に記載のアップリンク信号伝送方法。
（項目４）
上記制御情報のシンボルの個数は、
【化２８１】
2011526094.tif 000017
を満たし、
ここで、上記制御情報のシンボルの個数が
【化２８２】
2011526094.tif 000018
上記制御情報のペイロードサイズが
【化２８３】
2011526094.tif 000019
上記オフセット値が
【化２８４】
2011526094.tif 000020
上記第１アップリンク信号の上記データのサイズが
【化２８５】
2011526094.tif 000021
上記第１アップリンク信号のＰＵＳＣＨの伝送可能なシンボルの総個数が
【化２８６】
2011526094.tif 000022
が天井（ｃｅｉｌｉｎｇ）関数である、項目２に記載のアップリンク信号伝送方法。
（項目５）
上記制御情報は、チャネル品質制御情報またはランク指示子であり、
上記チャネル品質制御情報は、ＣＱＩ（Ｃｈａｎｎｅｌ  Ｑｕａｌｉｔｙ  Ｉｎｄｉｃａｔｉｏｎ）及びＰＭＩ（Ｐｒｅｃｏｄｉｎｇ  Ｍａｔｒｉｘ  Ｉｎｄｉｃａｔｏｒ）のうち少なくとも一つを含む、項目１に記載のアップリンク信号伝送方法。
（項目６）
上記制御情報は、チャネル品質制御情報またはランク指示子であり、
上記チャネル品質制御情報のペイロードサイズは、上記チャネル品質制御情報に付加されたＣＲＣ（Ｃｙｃｌｉｃ  Ｒｅｄｕｎｄａｎｃｙ  Ｃｈｅｃｋ）のサイズを含む、項目１に記載のアップリンク信号伝送方法。
（項目７）
上記第１アップリンク信号の上記データのペイロードサイズと上記第１アップリンク信号のＰＵＳＣＨの伝送可能なシンボルの総個数をメモリまたはキャッシュから取り込むことをさらに含む、項目１に記載のアップリンク信号伝送方法。
（項目８）
制御情報のシンボルの個数は、
【化２８７】
2011526094.tif 000023
を満たし、
ここで、上記第２アップリンク信号の制御情報のシンボルの個数が
【化２８８】
2011526094.tif 000024
上記第２アップリンク信号の制御情報のペイロードサイズが
【化２８９】
2011526094.tif 000025
上記第１アップリンク信号のＰＵＳＣＨ伝送のためのサブフレーム当たりのＳＣ−ＦＤＭＡシンボルの個数が
【化２９０】
2011526094.tif 000026
上記第１アップリンク信号のＰＵＳＣＨ伝送のためにスケジューリングされた帯域ＰＵＳＣＨ伝送が
【化２９１】
2011526094.tif 000027
上記オフセット値が
【化２９２】
2011526094.tif 000028
上記第１アップリンク信号のデータのペイロードサイズが
【化２９３】
2011526094.tif 000029
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目２に記載のアップリンク信号伝送方法。
（項目９）
受信された第１アップリンク信号及び第２アップリンク信号を処理する方法であって、
上記第１アップリンク信号及び上記第２アップリンク信号はそれぞれ制御情報及びデータを含み、
上記第１アップリンク信号のデータのペイロードサイズ及び上記第１アップリンク信号のためのＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数を用いてチャネル符号化されたデータをチャネル復号化して、上記第２アップリンク信号の上記制御情報を生成する、アップリンク信号処理方法。
（項目１０）
上記チャネル復号化ステップは、上記第２アップリンク信号の上記制御情報のペイロードサイズ及び上記第２アップリンク信号の上記制御情報に適用されるオフセット値を用いて上記チャネル符号化されたデータをチャネル復号化する、項目９に記載のアップリンク信号処理方法。
（項目１１）
上記復号化ステップで復号化された制御情報のシンボルの個数は、
【化２９４】
2011526094.tif 000030
を満たし、
ここで、上記第２アップリンク信号の制御情報のシンボルの個数が
【化２９５】
2011526094.tif 000031
上記第２アップリンク信号の制御情報のペイロードサイズが
【化２９６】
2011526094.tif 000032
上記第１アップリンク信号のＰＵＳＣＨ伝送のためのサブフレーム当たりのＳＣ−ＦＤＭＡシンボルの個数が
【化２９７】
2011526094.tif 000033
上記第１アップリンク信号のＰＵＳＣＨ伝送のためにスケジューリングされた帯域ＰＵＳＣＨ伝送が
【化２９８】
2011526094.tif 000034
上記オフセット値が
【化２９９】
2011526094.tif 000035
上記第１アップリンク信号のデータのペイロードサイズが
【化３００】
2011526094.tif 000036
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目１０に記載のアップリンク信号処理方法。
（項目１２）
それぞれデータ及び制御情報を含む第１アップリンク信号と第２アップリンク信号を伝送する装置であって、
ＲＦユニットと、
メモリと、
上記ＲＦユニット及び上記メモリと接続されるプロセッサと、
を含み、
上記プロセッサは、上記第１アップリンク信号のデータのペイロードサイズ及び上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数によってシンボルの個数を決定すると、制御情報のシンボルの個数に基づいて上記第２アップリンク信号の制御情報をチャネル符号化して、第１チャネル符号化されたデータを生成するように構成される、アップリンク信号伝送装置。
（項目１３）
上記プロセッサは、上記第２アップリンク信号の制御情報のペイロードサイズと上記第２アップリンク信号の制御情報に適用されるオフセット値によって上記シンボルの個数を決定するように構成される、項目１２に記載のアップリンク信号伝送装置。
（項目１４）
上記プロセッサは、
上記第２アップリンク信号のデータをチャネル符号化して、第２チャネル符号化されたデータを生成し、
上記第１チャネル符号化されたデータ及び上記第２チャネル符号化されたデータにチャネルインターリービングを行って上記第２アップリンク信号を生成し、
上記第２アップリンク信号を伝送する、
ように構成される、項目１２に記載のアップリンク信号伝送装置。
（項目１５）
上記制御情報のシンボルの個数が
【化３０１】
2011526094.tif 000037
を満たし、
ここで、上記制御情報のシンボルの個数が
【化３０２】
2011526094.tif 000038
上記制御情報のペイロードサイズが
【化３０３】
2011526094.tif 000039
上記オフセット値が
【化３０４】
2011526094.tif 000040
上記第１アップリンク信号のデータのサイズが
【化３０５】
2011526094.tif 000041
上記第１アップリンク信号のＰＵＳＣＨの伝送可能な上記シンボルの総個数が
【化３０６】
2011526094.tif 000042
が天井（ｃｅｉｌｉｎｇ）関数である、項目１３に記載のアップリンク信号伝送装置。
（項目１６）
上記制御情報は、チャネル品質制御情報またはランク指示子であり、
上記チャネル品質制御情報は、ＣＱＩ（Ｃｈａｎｎｅｌ  Ｑｕａｌｉｔｙ  Ｉｎｄｉｃａｔｉｏｎ）及びＰＭＩ（Ｐｒｅｃｏｄｉｎｇ  Ｍａｔｒｉｘ  Ｉｎｄｉｃａｔｏｒ）のうち少なくとも一つを含む、項目１２に記載のアップリンク信号伝送装置。
（項目１７）
上記制御情報は、チャネル品質制御情報またはランク指示子であり、
上記チャネル品質制御情報のペイロードサイズは、上記チャネル品質制御情報に付加されたＣＲＣ（Ｃｙｃｌｉｃ  Ｒｅｄｕｎｄａｎｃｙ  Ｃｈｅｃｋ）のサイズを含む、項目１２に記載のアップリンク信号伝送装置。
（項目１８）
上記プロセッサは、
上記第１アップリンク信号のデータのペイロードサイズと上記第１アップリンク信号のＰＵＳＣＨの伝送可能なシンボルの総個数をメモリまたはキャッシュから取り込むように構成される、項目１２に記載のアップリンク信号伝送装置。
（項目１９）
上記制御情報のシンボルの個数は、
【化３０７】
2011526094.tif 000043
を満たし、
ここで、上記第２アップリンク信号の制御情報の上記シンボルの個数が
【化３０８】
2011526094.tif 000044
上記第２アップリンク信号の制御情報のペイロードサイズが
【化３０９】
2011526094.tif 000045
上記第１アップリンク信号のＰＵＳＣＨ伝送のためのサブフレーム当たりのＳＣ−ＦＤＭＡシンボルの個数が
【化３１０】
2011526094.tif 000046
上記第１アップリンク信号のＰＵＳＣＨ伝送のためにスケジューリングされた帯域ＰＵＳＣＨ伝送が
【化３１１】
2011526094.tif 000047
上記オフセット値が
【化３１２】
2011526094.tif 000048
上記第１アップリンク信号のデータのペイロードサイズが
【化３１３】
2011526094.tif 000049
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目１３に記載のアップリンク信号伝送装置。
（項目２０）
それぞれ制御データ及び制御情報を含む第１アップリンク信号と第２アップリンク信号を受信する装置であって、
ＲＦユニットと、
メモリと、
上記ＲＦユニット及び上記メモリに接続されるプロセッサと、
を含み、
上記プロセッサは、
上記第１アップリンク信号のデータのペイロードのサイズと上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数を用いて、チャネル符号化されたデータをチャネル復号化するように構成される、アップリンク信号受信装置。
（項目２１）
上記プロセッサは、上記第２アップリンク信号の制御情報のペイロードサイズと上記第２アップリンク信号の制御情報に適用されるオフセット値を用いて、上記チャネル符号化されたデータをチャネル復号化するように構成される、項目２０に記載のアップリンク信号受信装置。
（項目２２）
デコーダにより復号化された制御情報のシンボルの個数が、
【化３１４】
2011526094.tif 000050
を満たし、
ここで、上記第２アップリンク信号の制御情報のシンボルの個数が
【化３１５】
2011526094.tif 000051
上記第２アップリンク信号の制御情報のペイロードサイズが
【化３１６】
2011526094.tif 000052
上記第１アップリンク信号のＰＵＳＣＨ伝送のためのサブフレーム当たりのＳＣ−ＦＤＭＡシンボルの個数が
【化３１７】
2011526094.tif 000053
上記第１アップリンク信号のＰＵＳＣＨ伝送のためにスケジューリングされた帯域ＰＵＳＣＨ伝送が
【化３１８】
2011526094.tif 000054
上記オフセット値が
【化３１９】
2011526094.tif 000055
上記第１アップリンク信号のデータのペイロードサイズが
【化３２０】
2011526094.tif 000056
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目２１に記載のアップリンク信号受信装置。